(57)【要約】      （修正有）【課題】コンテナ輸送時の揺れに強い安定性を有するキャスター付きハンガーラックの提供。【解決手段】キャスター５の付いた左右一対のベース部材４，４Ａと、この左右一対のベース部材を接続する中間ベース部材６と、左右一対のベース部材上にそれぞれ立設されて直方体の平面四角を構成する４本の支柱７と、この４本の支柱間にそれぞれ跨って鉢巻き状に配置されるバー１０とからなるキャスター付きハンガーラックにおいて、左右一対のベース部材の前後いずれかの端面にそれぞれ取り付けられて隣接する同じキャスター付きハンガーラックの左右一対のベース部材端部に先端側が接続可能な下部連結部材１１、及び前記支柱又はバー１０ａの上側バーに基端側が旋回可能に取り付けられて隣接する同じキャスター付きハンガーラックの支柱又は上側バーに先端側が接続可能な上部スペーサー部材１３を備えたことを特徴とする。【選択図】図１
0003122369.tif 000002
【実用新案登録請求の範囲】
【請求項１】
キャスターの付いた左右一対のベース部材と、この左右一対のベース部材を接続する中間ベース部材と、前記左右一対のベース部材上にそれぞれ立設されて直方体の平面四角を構成する４本の支柱と、この４本の支柱間にそれぞれ跨って鉢巻き状に配置されるバーとからなるキャスター付きハンガーラックにおいて、
前記左右一対のベース部材の前後いずれかの端面にそれぞれ取り付けられて隣接する同じキャスター付きハンガーラックの左右一対のベース部材端部に先端側が接続可能な下部連結部材、及び前記支柱又はバーの上側バーに基端側が旋回可能に取り付けられて隣接する同じキャスター付きハンガーラックの支柱又は上側バーに先端側が接続可能な上部スペーサー部材を備えたことを特徴とするキャスター付きハンガーラック。
【請求項２】
上側バー又は支柱に基端側が旋回可能に取り付けられてコンテナの壁や天井に先端側が当接可能な当接部材を備えたことを特徴とする請求項１記載のキャスター付きハンガーラック。
【考案の詳細な説明】
【技術分野】
【０００１】
本考案は、衣類をハンガーに吊り下げた状態でコンテナ輸送するときに使用するキャスター付きハンガーラックに関するものである。
【背景技術】
【０００２】
この種のキャスター付きハンガーラックは、コンテナ輸送時には、コンテナ内に一列に並べて複数個まとめて輸送されている。
そのために、図８に示すようにコンテナ１の内部において、その入口２から奧に向かって順次押し込んで並べられるように、その長さ（コンテナ１の幅に対応する）が決められているので、左右両側の隙間３はそれぞれ３ｃｍほどになっていて、コンテナ１の左右方向の揺れに対してキャスター付きハンガーラックはほとんど動揺せず、しっかりと格納されている。
【０００３】
しかしながら、前記したようにこの種のキャスター付きハンガーラックはコンテナ輸送時の左右方向の揺れに対してはさほど支障のないようになっているが、上下方向の振動や急停止・急発進などによる前後方向の揺れがあると、列が乱れて隣接するキャスター付きハンガーラックの位置が互いにずれて重なり合ってラック同志が交錯するので、吊り下げられた衣類がもみくちゃになったり、ハンガーごと落下したり、さらにはラックが倒れて衣類が型くずれする最悪の状態になるという問題がある。
【考案の開示】
【考案が解決しようとする課題】
【０００４】
本考案は、かかる従来の問題を解消するために創案されたものであり、その目的はコンテナ輸送時の揺れに対して強い安定性を有するキャスター付きハンガーラックを提供することにある。
【課題を解決するための手段】
【０００５】
請求項１の考案は、左右一対のベース部材の前後いずれかの端面にそれぞれ取り付けられて隣接する同じキャスター付きハンガーラックの左右一対のベース部材端部に先端側が接続可能な下部連結部材と、支柱又は上側バーに基端側が旋回可能に取り付けられて隣接する同じキャスター付きハンガーラックの支柱又は上側バーに先端側が接続可能な上部スペーサー部材とを備えたことを特徴とする。
【０００６】
請求項２の考案は、請求項１のものにおいて、上側バー又は支柱に基端側が旋回可能に取り付けられてコンテナの壁や天井に先端側が当接可能な当接部材を備えたことを特徴とする。
【考案の効果】
【０００７】
請求項１の考案は、下部連結部材及び上部スペーサー部材により隣接するキャスター付きハンガーラックと上下の位置でそれぞれ接続することにより、コンテナ内の全てのラックが一列に連結された状態となるので、コンテナ輸送時の左右方向の揺れに対しては勿論のこと、上下方向の振動や急停止・急発進などによる前後方向の揺れに対しても、列が乱れて個々にラックがずれたり、倒れたりすることがなく、全ての衣類をハンガーに吊り下げた状態でのコンテナ輸送が確実にできるという効果がある。
【０００８】
請求項２の考案は、請求項１の下部連結部材及び上部スペーサー部材に加えて、当接部材によりコンテナの前後壁（奧の壁と扉側）とのスペース及び天井とのスペースが保持されることにより、一列に連結された全ラックがコンテナ内において完全に位置決め保持されるので、全ての衣類をハンガーに吊り下げた状態でのコンテナ輸送がより確実に行えるという効果がある。
【考案を実施するための最良の形態】
【０００９】
本考案のハンガーラックは、下部連結部材及び上部スペーサー部材により隣接するキャスター付きハンガーラックと上下の位置でそれぞれ接続することにより、複数のハンガーラック間の揺れに対する安定性を実現し、さらに当接部材によりキャスタ付きハンガーラックをコンテナの前後壁及び天井に対して保持することにより、コンテナ内の揺れに対する安定性を実現した。
【実施例】
【００１０】
図１は本考案の一実施例を示す全体斜視図、図２は図１の支柱取り付け部分を示す図、図３は図２の止めピン及び抜け止めピンを示す図、図４は図１の下部連結部材を示す図、図５は図４の開いた状態から閉じて接続した状態を示す図、図６は図１の上部スペーサー部材を支柱に取り付けた状態を示す正面図、図７は図６から上部スペーサー部材を旋回させる状態を示す図である。
【００１１】
図において、４はキャスター５が２個づつ付いた左右一対のベース部材、６はベース部材４，４を平面Ｈ状となるように接続した中間ベース部材、７は各ベース部材４に２本づつ立設した４本の支柱で、それぞれ下端にあるコの字状の下向き開口部７ａをベース部材４に上から被せて嵌め込んで止めピン８及び抜け止めピン９で止めることにより、平面Ｈ状のベース部材４上に直方体の平面四角を構成する。この支柱７は、止めピン８を抜け止めピン９により抜き差しすることによって、ベース部材４に着脱自在に固定できるようになっている。
【００１２】
次に、１０は各支柱７の間にそれぞれ跨って取り付けて直方体を構成する長短二種類のバーで、その中でも最も上方に位置するものを特に上側バー１０ａとする。１１は各ベース部材４の両後端側に軸１１ａにより水平旋回するようにそれぞれ取り付けた下部連結部材で、コの字状の横向き開口部分にスリット１１ｂとピン孔１１ｃとを有している。
この下部連結部材１１は、常時は図４に示すように開いているが、隣接するハンガーラックのベース部材４Ａを接続するときには図５に示すように閉じる。この閉じた状態ではスリット１１ｂ内にベース部材４Ａの突起１２が嵌り込むので、このまま例えばピン孔１１ｃに止めピン８を差し込んで抜け止めピン９により止めることにより、ベース部材４Ａを接続できるようになる。
【００１３】
また、１３は前方側両支柱７に旋回・固定可能にそれぞれ取り付けた上部スペーサー部材で、その先端側１３ａは隣接するハンガーラックの同じ支柱（図示せず）を掴める構造（接続や嵌め込みなどの手段）になっている。
この上部スペーサー部材１３は、図６、図７に示すように可動部１４ａを固定部１４ｂから持ち上げれば旋回可能になると共に下ろすと可動部１４ａが固定部１４ｂに固定される構造を有している。
【００１４】
なお、図１では上部スペーサー部材１３を支柱７（前方側の左右両側の支柱７）に取り付けるものを示したが、図示省略するがハンガーラックの上側バー１０ａに取り付けるようにしても良い。この場合も、上側バー１０ａに対して、旋回・固定可能になるような構造とする。
【００１５】
以上のように下部連結部材１１及び上部スペーサー部材１３を設けることにより、複数個のハンガーラックを図８に示すようにコンテナ１の内部に並べた状態の各ハンガーラック間において、下部連結部材１１を隣接するハンガーラックのベース部材端部に嵌め込んで図５に示すように接続できると共に上部スペーサー部材１３の先端側１３ａで隣接するハンガーラックの支柱又は上側バーを掴んで接続できるので、コンテナ１内の全てのラックが一列に連結された状態となって一つにまとまり、コンテナ輸送時の左右方向の揺れ、上下方向の振動や急停止・急発進などによる前後方向の揺れに対しても、列が乱れて個々にラックがずれたり、倒れたりすることがなく、全ての衣類をハンガーに吊り下げた状態でのコンテナ輸送が確実にできるようになる。
【００１６】
次に、図中１５は後方側両支柱７に旋回・固定可能にそれぞれ取り付けた当接部材で、ゴム製の円盤等からなる先端部を有し、伸縮自在な構造によって先端側１５ａが伸びたり縮んだりしてコンテナ１の扉や側壁に当接すると共に支柱７に対しては前記した上部スペーサー部材１３と同様に可動部１４ａ及び固定部１４ｂにより旋回・固定可能な構造になっている。
この当接部材１５は、最後位のハンガーラックにあるもののみが後方に突出してコンテナ１の扉に当接するが、それ以外のものは側方に突出してコンテナ１の側壁に当接するようにすることができる。
【００１７】
１６は上側バー１０ａに旋回可能に取り付けた当接部材で、ゴム製の円盤等からなる先端部を有し、伸縮自在な構造によって先端側１６ａが伸びたり縮んだりしてコンテナ１の奧の壁や天井に当接するようになっている。
この当接部材１６は、最前位のハンガーラックにある前方のもののみが前方に突出してコンテナ１の奧の壁に当接するが、それ以外のものは上方に突出してコンテナ１の天井に当接するようにすることができる。
【００１８】
なお、図１では当接部材１６を前後二本の上側バー１０ａの各中間にそれぞれ１個づつ設けているが、この当接部材１６は上側バー１０ａに対して２個づつ設けても良く、この場合一本の上側バー１０ａの部分で天井、壁の両方に当接部材１６をそれぞれ当接させるようにできる。
【００１９】
このように当接部材１５，１６を支柱７及び上側バー１０ａにそれぞれ取り付け、前方に突出させた当接部材１６をコンテナ１の壁（奧の壁）に当接させ、後方に突出させた当接部材１５をコンテナ１の扉に当接させ、上向きに突出させた当接部材１６をコンテナ１の天井に当接させると、コンテナの前後壁（奧の壁と扉側）とのスペース及び天井とのスペースが保持されるので、一列に連結された全ラックがコンテナ内において完全に位置決め保持され、全ての衣類をハンガーに吊り下げた状態でのコンテナ輸送がより確実に行えるようになる。
【００２０】
以上のハンガーラックの構成において、各バー１０（上側バー１０ａも）には衣類の吊り下げられたハンガー（図示せず）が引っ掛けられるが、ハンガーが輸送中にバーから外れて落ちることを防止するためのハンガー押さえ棒や長尺側のバー１０の中間を支持する補助支柱などは、図１では省略している。
なお、ハンガー押さえ棒の構成については、例えば出願人が先に出願した特願２００５―２５４６８７（平成１７年９月２日出願）に示されているように、各バーの上方に沿って位置するように各支柱の横孔に通して保持したハンガー押さえ棒であることができ、さらにこのハンガー押さえ棒とハンガーとの間に押さえカバーを嵌め込んでハンガーを押さえ込んだり、バーに止め金具を設けてハンガー押さえ棒を中間で保持したりすれば、一層確実にハンガーの脱落を防止することができる。また、補助支柱の構成についても、例えば上述の特願２００５−２５４６８７に示されているように、各バーの中間部をそれぞれ支持する２本の補助支柱を設け、それらの下端を受止部材で連結し、この受止部材を中間ベース部材に乗せて保持する構成であることができる。
【産業上の利用可能性】
【００２１】
本考案のキャスター付きハンガーラックは、コンテナ輸送時の揺れに対して強い安定性を有するため、衣類をハンガーで吊り下げた状態で輸送するのに好適に利用できる。
【図面の簡単な説明】
【００２２】
【図１】本考案の一実施例を示す全体斜視図である。
【図２】図１の支柱取り付け部分を示す図である。
【図３】図２の止めピン及び抜け止めピンを示す図である。
【図４】図１の下部連結部材を示す図である。
【図５】図４の開いた状態から閉じて接続した状態を示す図である。
【図６】図１の上部スペーサー部材を支柱に取り付けた状態を示す正面図である。
【図７】図６から上部スペーサー部材を旋回させる状態を示す図である。
【図８】従来のコンテナにおけるハンガーラックの配置を示す平面図である。
【符号の説明】
【００２３】
１：コンテナ
２：コンテナ１の入口
４：ベース部材
４Ａ：ベース部材
５：キャスター
６：中間ベース部材
７：支柱
７ａ：支柱７の下向き開口部
８：止めピン
９：抜け止めピン
１０：バー
１０ａ：上側バー
１１：下部連結部材
１１ａ：下部連結部材１１の軸
１１ｂ：下部連結部材１１のスリット
１１ｃ：下部連結部材１１のピン孔
１２：ベース部材４，４Ａの突起
１３：上部スペーサー部材
１３ａ：上部スペーサー部材１３の先端側
１５：当接部材
１５ａ：当接部材１５の先端側
１６：当接部材
１６ａ：当接部材１６の先端側
【図１】
0003122369.tif 000003
【図２】
0003122369.tif 000004
【図３】
0003122369.tif 000005
【図４】
0003122369.tif 000006
【図５】
0003122369.tif 000007
【図６】
0003122369.tif 000008
【図７】
0003122369.tif 000009
【図８】
0003122369.tif 000010